(57)【要約】【課題】  音楽スタジオ等での器材のセッティングを効率良く行うことができ、ミキサーの入力チャンネルを楽器等の演奏音の収録のために無駄なく利用することのできる演奏モニター装置を提供すること。                                                      【解決手段】  複数チャンネルの信号を伝送させるマルチケーブル３０が接続される接続コネクター１１と、マルチケーブル３０を介して伝送されてくる複数チャンネルの信号のレベルを調整するための調整手段１２と、調整手段１２を介して調整された信号が出力される出力端子１３とを備えた演奏モニター装置１０において、音声を入力するための通話用マイク１４と、通話用マイク１４の接続コネクター１１への接続状態を切り換えるための切換スイッチ１５とを装備する。【選択図】  図１
2005094112.tif 000002
【特許請求の範囲】
【請求項１】
複数チャンネルの信号を伝送させる信号ラインが接続される接続手段と、
前記信号ラインを介して伝送されてくる前記複数チャンネルの信号のレベルを調整するための調整手段と、
該調整手段を介して調整された信号が出力される出力手段とを備えた演奏モニター装置において、
音声を入力するための音声入力手段と、
該音声入力手段の前記接続手段への接続状態を切り換えるための切換手段とを備えていることを特徴とする演奏モニター装置。
【請求項２】
前記音声入力手段が、音声を入力するためのものと、音声を出力するためのものとに切り換えられるように、前記切換手段が、前記音声入力手段の前記接続手段への接続と、前記調整手段の前記音声入力手段への接続とに切り換えるものであることを特徴とする請求項１記載の演奏モニター装置。    
【請求項３】
音声を入力するための音声入力手段と、
演奏モニター手段から伝送されてくる音声信号を音声にして出力する音声出力手段と、  前記音声入力手段の前記演奏モニター手段及び前記音声出力手段への接続状態を切り換えるための切換手段とを備えていることを特徴とする調整室通話ユニット。                
【請求項４】
前記切換手段により前記音声入力手段が接続状態に切り換えられた場合に、前記音声出力手段から出力される音量を所定レベルまで減衰させる音量調節手段を備えていることを特徴とする請求項３記載の調整室通話ユニット。                                        
【請求項５】
複数チャンネルの信号を分配して、請求項１又は請求項２記載の演奏モニター装置へ伝送する信号分配装置であって、
請求項３又は請求項４記載の調整室通話ユニットが接続され、
前記演奏モニター装置から伝送されてくる音声信号を前記調整室通話ユニットへ送出する第１の音声信号送出手段と、
前記調整室通話ユニットから伝送されてくる音声信号を前記演奏モニター装置へ送出する第２の音声信号送出手段とを備えていることを特徴とする信号分配装置。
【請求項６】
請求項１又は請求項２記載の演奏モニター装置と、請求項３又は請求項４記載の調整室通話ユニットと、請求項５記載の信号分配装置とを含んで構成されていることを特徴とするスタジオ通話システム。
【発明の詳細な説明】
【技術分野】
【０００１】
本発明は演奏モニタ−装置、調整室通話ユニット、信号分配装置、及びスタジオ通話システムに関し、より詳細には音楽スタジオなどに設置され、該音楽スタジオで会話などを行うために利用される演奏モニタ−装置、調整室通話ユニット、信号分配装置、及びスタジオ通話システムに関する。
【背景技術】
【０００２】
従来からミュージシャン等が歌う歌声や各種楽器の演奏音などを録音する際には、音楽スタジオが使用されており、該音楽スタジオにおける録音音質を向上させる方法が下記の特許文献１に開示されている。
【０００３】
音楽スタジオは、調整室（コントロールルームとも言う）と演奏室（ブースとも言う）とから構成されており、前記調整室と前記演奏室とはパネル等で仕切られている。そのため、前記調整室内にいる人と前記演奏室内にいる人とが会話をするためには、別途スタジオ通話システム（トークバックシステム）が必要となっている。
【０００４】
図３は、従来の音楽スタジオにおけるスタジオ通話システムの要部を概略的に示したブロック図である。
演奏室１には、各演奏者毎に通話用のマイクロホン（以下マイクと記す）３と、録音された演奏音や調整室２からの通話音声などをモニターするための演奏モニター装置（キューボックスとも言う）１００とが設置されている。
【０００５】
演奏室１の各通話用マイク３は、マイク用ケーブル４を介して調整室２のミキシングコンソール（以下ミキサーと記す）４０にそれぞれ接続されており、各演奏モニター装置１００には、複数チャンネルの信号を伝送することのできるマルチケーブル３０を介して調整室２の信号分配装置２００が接続されている。
【０００６】
演奏モニター装置１００は、マルチケーブル３０が接続される接続コネクター１１と、接続コネクター１１に接続されたマルチケーブル３０を介して伝送されてくる複数チャンネルの信号のレベルを調整するための調整手段（所謂、簡易ミキサー）１２と、調整手段１２を介して調整された信号が出力される出力端子１３とを含んで構成されており、複数チャンネルの信号のレベルを任意に調整して好みのモニター環境を設定することができ、出力端子１３にヘッドホン３１を接続することにより、演奏音や通話音声などをモニターすることができるようになっている。なお、演奏室１では、演奏音を収録するための収録用マイク（図示せず）も演奏者ごとに設置されており、収録用マイクもマイク用ケーブル（図示せず）を介してミキサー４０にそれぞれ接続されるようになっている。
【０００７】
一方、調整室２には、信号分配装置２００と通話用マイク５とミキサー４０とアンプ４１とスピーカ４２とが設置され、通話用マイク５は、ミキサー４０に接続され、ミキサー４０には、アンプ４１を介してスピーカ４２が接続されるとともに、信号分配装置２００が接続されている。
【０００８】
ミキサー４０は、演奏室１に設置された収録用マイクにより集音された複数のオーディオ信号や通話用マイク３、５を通じて入力された音声信号などが入力されると、入力された複数のオーディオ信号などの信号を混合して、アンプ４１を介してスピーカ４２へ出力し、演奏音や通話音声として出力させたり、これら複数チャンネルの信号を信号分配装置２００へ送出するようになっている。
【０００９】
信号分配装置２００は、ミキサー４０から伝送されてくる複数チャンネルの信号を分配し、演奏室１に設置された各演奏モニター装置１００にマルチケーブル３０を介して伝送するようになっている。
【００１０】
次に、従来のスタジオ通話システムの通話時の動作について説明する。まず、演奏室１にいる人が調整室２にいる人に対して通話を行う場合について説明する。演奏室１の通話用マイク３を入力状態にして音声が入力されると、通話用マイク３を通じて入力された音声信号は、マイク用ケーブル４を介してミキサー４０に入力され、混合された後、アンプ４１を介してスピーカ４２から音声として出力される。
【００１１】
次に、スピーカ４２から出力された音声を受けて調整室２にいる人が演奏室１にいる人に対して通話を行う場合について説明する。調整室２の通話用マイク５を入力状態にして音声が入力されると、通話用マイク５を通じて入力された音声信号は、ミキサー４０を介して信号分配装置２００へ伝送され、信号分配装置２００で分配された後、マルチケーブル３０を介して各演奏モニター装置１００へ送出される。各演奏モニター装置１００では、信号分配装置２００から伝送されてきた音声信号が、出力端子１３に接続されたヘッドホン３１を通じて音声として出力される。
このように演奏室１に設置された通話用マイク３と調整室２に設置された通話用マイク５を使用して、演奏室１と調整室２との間で必要な会話が行えるようになっている。
【００１２】
しかしながら、従来のスタジオ通話システムでは、演奏室１の通話用マイク３を人数分ほどを用意して、これらの通話用マイク３をミキサー４０の入力チャンネルにそれぞれ接続しなければならないため、器材のセッティングに手間がかかってしまうという課題があった。
【００１３】
また、ミキサー４０においては、演奏室１の通話用マイク３や調整室２の通話用マイク５との接続のため、ミキサー４０の入力チャンネルが、これら通話用マイク３、５の接続本数分程占有されてしまい、その結果、収録用マイクや楽器などを接続するためのミキサー４０の入力チャンネル数が少なくなってしまうという課題があった。
【特許文献１】特開２００２−５０９４３号公報
【発明の開示】
【課題を解決するための手段及びその効果】
【００１４】
本発明は上記課題に鑑みなされたものであって、音楽スタジオ等での各種器材のセッティングを効率良く行うことができ、ミキサーの入力チャンネルを通話用マイクとの接続のために占有することなく、楽器等の演奏音の収録のために無駄なく利用することのできるスタジオ環境を作り出すことのできる演奏モニタ−装置、調整室通話ユニット、信号分配装置、及びスタジオ通話システムを提供することを目的としている。
【００１５】
上記目的を達成するために本発明に係る演奏モニター装置（１）は、複数チャンネルの信号を伝送させる信号ラインが接続される接続手段と、前記信号ラインを介して伝送されてくる前記複数チャンネルの信号のレベルを調整するための調整手段と、該調整手段を介して調整された信号が出力される出力手段とを備えた演奏モニター装置において、音声を入力するための音声入力手段と、該音声入力手段の前記接続手段への接続状態を切り換えるための切換手段とを備えていることを特徴としている。
【００１６】
上記演奏モニター装置（１）によれば、前記音声入力手段を備えているので、演奏室内に通話用マイクを別途設ける必要がなくなり、前記通話用マイクを別途用意して接続する手間が省けるため、各種器材のセッティングを効率良く行うことができる。また、前記切換手段により接続状態に切り換えられた前記音声入力手段から音声が入力されると、入力された音声信号が前記接続手段に接続された前記信号ラインを介して出力される。したがって、前記信号ラインを利用して前記音声信号を出力することにより、通話用マイク専用のケーブルをなくすことができ、音楽スタジオ内におけるケーブルの数を減らすことができる。
【００１７】
また本発明に係る演奏モニター装置（２）は、上記演奏モニター装置（１）において、前記音声入力手段が、音声を入力するためのものと、音声を出力するためのものとに切り換えられるように、前記切換手段が、前記音声入力手段の前記接続手段への接続と、前記調整手段の前記音声入力手段への接続とに切り換えるものであることを特徴としている。      
【００１８】
上記演奏モニター装置（２）によれば、前記音声入力手段から音声を入力するだけでなく、音声を出力させることもできる。すなわち、前記音声入力手段に、マイクロホンとしての機能と、スピーカとしての機能とを兼用させることができ、従来、前記出力手段に接続されたヘッドホンから出力させていた音声を、前記音声入力手段から出力させることができ、前記ヘッドホンを使用しなくても、音楽スタジオ内で通話を行うことが可能となる。
【００１９】
また本発明に係る調整室通話ユニット（１）は、音声を入力するための音声入力手段と、演奏モニター手段から伝送されてくる音声信号を音声にして出力する音声出力手段と、前記音声入力手段の前記演奏モニター手段及び前記音声出力手段への接続状態を切り換えるための切換手段とを備えていることを特徴としている。
【００２０】
上記調整室通話ユニット（１）によれば、前記演奏モニター手段から伝送されてくる音声信号を音声にして出力する音声出力手段を備えているので、従来、混合手段（ミキサー）に接続されたスピーカから出力されていた通話音声を、前記音声出力手段から出力させることができる。したがって、通話のための音声信号を前記混合手段へ伝送させる必要がなく、前記混合手段の入力チャンネルを演奏音などの収録のために無駄なく利用することが可能となる。
【００２１】
また本発明に係る調整室通話ユニット（２）は、上記調整室通話ユニット（１）において、前記切換手段により前記音声入力手段が接続状態に切り換えられた場合に、前記音声出力手段から出力される音量を所定レベルまで減衰させる音量調節手段を備えていることを特徴としている。
【００２２】
上記調整室通話ユニット（２）によれば、前記切換手段により前記音声入力手段が接続状態に切り換えられた場合に、前記音声出力手段から出力される音量が所定レベルまで減衰させられるので、通話の際に、前記音声出力手段から出力される音声が前記音声入力手段に取り込まれることにより発生するハウリングを防止することができる。
【００２３】
また本発明に係る信号分配装置（１）は、複数チャンネルの信号を分配して、上記演奏モニター装置（１）又は（２）へ伝送する信号分配装置であって、上記調整室通話ユニット（１）又は（２）が接続され、前記演奏モニター装置から伝送されてくる音声信号を前記調整室通話ユニットへ送出する第１の音声信号送出手段と、前記調整室通話ユニットから伝送されてくる音声信号を前記演奏モニター装置へ送出する第２の音声信号送出手段とを備えていることを特徴としている。
【００２４】
上記信号分配装置（１）によれば、前記演奏モニター装置から伝送されてくる音声信号が前記調整室通話ユニットへ送出され、前記調整室通話ユニットから伝送されてくる音声信号が前記演奏モニター装置へ送出されるので、通話の音声信号を前記演奏モニター装置と前記調整室通話ユニットとの間で効率よく伝送することができ、通話の音声信号を前記混合手段へ伝送する必要がなくなり、混合手段の入力チャンネルを演奏音などの収録のために無駄なく利用することができる。
【００２５】
また本発明に係るスタジオ通話システム（１）は、上記演奏モニター装置（１）又は（２）と、上記調整室通話ユニット（１）又は（２）と、上記信号分配装置（１）とを含んで構成されていることを特徴としている。
【００２６】
上記スタジオ通話システム（１）によれば、上記演奏モニター装置（１）又は（２）と、上記調整室通話ユニット（１）又は（２）と、上記信号分配装置（１）とを含んで構成されているので、音楽スタジオ等での各種器材のセッティングを効率良く行うことができ、また混合手段（ミキサー）の入力チャンネルが通話用マイクとの接続で占有されることなく、楽器等の演奏音の収録のために無駄なく利用することのできるスタジオ環境を作り出すことができる。
【発明を実施するための最良の形態】
【００２７】
以下、本発明に係る演奏モニター装置、調整室通話ユニット、信号分配装置、及びスタジオ通話システムの実施の形態を図面に基づいて説明する。図１は、実施の形態（１）に係るスタジオ通話システムの要部を概略的に示したブロック図である。但し、ここでは図３に示したスタジオ通話システムと同一機能を有する構成部品については、同一符号を付して、その説明を省略する。
【００２８】
スタジオ通話システムは、演奏室１に設置される複数の演奏モニター装置１０と、調整室２に設置される１台の信号分配装置２０と、信号分配装置２０に接続された調整室通話ユニット５０とを含んで構成されている。
【００２９】
演奏室１には、各種楽器や、これら楽器からの演奏音を収録するための収録用マイクが設置される（いずれも図示せず）とともに、各演奏者毎に演奏モニター装置１０が設置されている。これら演奏モニター装置１０には、複数チャンネルの信号を伝送させることのできるマルチケーブル３０を介して調整室２の信号分配装置２０が接続されている。
【００３０】
演奏モニター装置１０は、マルチケーブル３０が接続される接続コネクター（接続手段）１１と、接続コネクター１１に接続されたマルチケーブル３０を介して伝送されてくる複数チャンネルの信号のレベルを調整するための調整手段（所謂、簡易ミキサー）１２と、調整手段１２を介して調整された信号が出力される出力端子（出力手段）１３と、音声を入力するための通話用マイク（音声入力手段）１４と、通話用マイクの状態を切り換えるための切換スイッチ（切換手段）１５とを含んで構成されており、通話用マイク１４は切換スイッチ１５を介して接続コネクター１１に接続されている。なお、接続コネクター１１は、マルチケーブル３０の各チャンネル信号のラインと接続されるようになっており、通話用マイク１４は、接続コネクター１１内の１系統のチャンネル端子に接続されている。
【００３１】
なお、演奏室１では、演奏音を収録するための収録用マイク（図示せず）も演奏者ごとに設置されており、該収録用マイクは、マイク用ケーブル（図示せず）を介してミキサー４０にそれぞれ接続されるようになっている。
【００３２】
一方、調整室２には、信号分配装置２０とミキサー４０とアンプ４１とスピーカ４２と調整室通話ユニット５０とが設置されており、ミキサー４０には、アンプ４１を介してスピーカ４２が接続されるとともに、信号分配装置２０が接続され、信号分配装置２０には、調整室通話ユニット５０が接続されている。
【００３３】
信号分配装置２０は、ミキサー４０から伝送されてくる複数チャンネルの信号を分配して、演奏室１に設置された各演奏モニター装置１０にマルチケーブル３０を介して伝送するとともに、演奏モニター装置１０からマルチケーブル３０を介して伝送されてくる音声信号を調整室通話ユニット５０へ送出する第１の音声信号送出手段２１と、調整室通話ユニット５０から伝送されてくる音声信号を演奏モニター装置１０へ送出する第２の音声信号送出手段２２とを含んで構成されている。
【００３４】
調整室通話ユニット５０は、演奏室１にいる人と会話をするための通話用マイク（音声入力手段）５１と、演奏モニター装置１０から伝送されてくる音声信号を音声にして出力するアンプ５４及びスピーカ５５と、通話用マイク５１の演奏モニター装置１０及びスピーカ５５への接続状態を切り換えるための切換スイッチ（切換手段）５２と、ディマー機能（音量減衰機能）を備えた音量調節手段５３とを含んで構成されている。
【００３５】
通話用マイク５１は、切換スイッチ５２の一端に接続され、切換スイッチ５２の他端は、通話用ライン５６を介して信号分配装置２０の端子２３に接続されるとともに、音量調節手段５３とアンプ５４とを介してスピーカ５５に接続されている。音量調節手段５３は、切換スイッチ５２により通話用マイク５１が接続状態に切り換えられた場合（すなわち、切換スイッチ５２がＯＮされた場合）、スピーカ５５から出力される音量を所定レベルまで減衰させるものである。
【００３６】
次に実施の形態（１）に係るスタジオ通話システムの通話時の動作について説明する。まず、演奏室１にいる人が調整室２にいる人に対して通話を開始する場合について説明する。演奏モニター装置１０に設けられた切換スイッチ１５がＯＮされて、通話用マイク１４から音声が入力されると、通話用マイク１４を通じて入力された音声信号は、接続コネクター１１に接続されたマルチケーブル３０を介して信号分配装置２０へ伝送される。
【００３７】
信号分配装置２０では、演奏モニター装置１０から伝送されてきた音声信号が音声信号ライン５６を介して調整室通話ユニット５０へ送出され、調整室通話ユニット５０では、信号分配装置２０から伝送されてきた音声信号がスピーカ５５から音声として出力される。
【００３８】
次にスピーカ５５から出力された音声を受けて調整室２にいる人が演奏室１にいる人に対して通話を開始する場合について説明する。調整室通話ユニット５０に設けられた切換スイッチ５２がＯＮされて、通話用マイク５１から音声が入力されると、通話用マイク５１を通じて入力された音声信号は、音声信号ライン５６を介して信号分配装置２０へ伝送される。信号分配装置２０では、伝送されてきた音声信号が分配されて、マルチケーブル３０を介して各演奏モニター装置１０へ送出され、演奏モニター装置１０では、信号分配装置２０から伝送されてきた音声信号が出力端子１３に接続されたヘッドホン３１から音声として出力される。
【００３９】
なお、切換スイッチ５２により通話用マイク５１が接続状態に切り換えられた場合（すなわち切換スイッチ５２がＯＮされた場合）には、音量調節手段５３により、スピーカ５５から出力される音量が所定レベルまで減衰させられる。
【００４０】
上記実施の形態（１）に係るスタジオ通話システムによれば、演奏モニター装置１０に通話用マイク１４が内蔵されているので、演奏室１に通話用マイクを別途設ける必要がなくなり、通話用マイクの接続の手間を省くことができ、器材のセッティングを効率良く行うことができる。また、通話用マイク１４の接続コネクター１１への接続状態を切り換えるための切換スイッチ１５を備えているので、切換スイッチ１５により接続状態に切り換えられた通話用マイク１４から音声が入力されると、入力された音声信号が接続コネクター１１に接続されたマルチケーブル３０を介して信号分配装置２０へ出力される。したがって、マルチケーブル３０を利用して音声信号を出力することにより、通話用マイク専用のケーブルもなくすことができ、音楽スタジオ内におけるケーブル本数を減らすことができる。
【００４１】
また、調整室通話ユニット５０には、信号分配装置２０を介して演奏モニター装置１０から伝送されてくる音声信号を音声にして出力するスピーカ５５が内蔵されているので、従来、ミキサー４０に接続されているスピーカ４２から出力されていた通話音声を、内蔵されたスピーカ５５から出力させることができる。したがって、通話のための音声信号をミキサー４０へ伝送させる必要がなく、ミキサー４０の入力チャンネルを演奏音などの収録のために無駄なく利用することができる。
【００４２】
また、調整室通話ユニット５０が音量調節手段５３を備えているので、調整室２側からの通話の際に、スピーカ５５から出力される音声が通話用マイク５１に取り込まれることにより発生するハウリングを防止することができる。
【００４３】
また、信号分配装置２０が、第１の音声信号送出手段２１と、第２の音声信号送出手段２２とを備えているので、演奏モニター装置１０から伝送されてきた音声信号を調整室通話ユニット５０へ送出することができ、また調整室通話ユニット５０から伝送されてきた音声信号を演奏モニター装置１０へ送出することができる。したがって、通話の音声信号を演奏モニター装置１０と調整室通話ユニット５０との間で効率よく伝送することができ、通話の音声信号をミキサー４０へ伝送する必要がなくなり、ミキサー４０の入力チャンネルを演奏音などの収録のために無駄なく利用することが可能となる。
【００４４】
図２は、実施の形態（２）に係るスタジオ通話システムの要部を概略的に示したブロック図である。但し、実施の形態（２）に係るスタジオ通話システムについては、演奏モニター装置１０Ａを除いて、図１に示した実施の形態（１）に係るスタジオ通話システムと同様であるため、ここでは異なる機能を有する演奏モニター装置１０Ａには異なる符号を付し、その他の同一機能を有する構成部品には同一符号を付して、その説明を省略する。      
【００４５】
実施の形態（１）に係るスタジオ通話システムにおける演奏モニター装置１０では、通話用マイク１４が、音声を入力するためだけに利用されているが、実施の形態（２）に係るスタジオ通話システムにおける演奏モニター装置１０Ａでは、通話用マイク１４Ａが、音声を入力するためのものと、音声を出力するためのものとに切り換えられるようになっている。すなわち、通話用マイク１４Ａが、マイクとしての機能と、スピーカとしての機能とを兼ね備えたものとなっている。以下、相違点のみ説明することとする。
【００４６】
演奏モニター装置１０Ａは、マルチケーブル３０と接続するための接続コネクター１１と、複数チャンネルの信号のレベルを調整するための調整手段１２と、調整手段１２を介して調整された信号が出力される出力端子１３と、音声の入出力機能を備えた通話用マイク１４Ａと、通話用マイク１４Ａを音声入力状態とするか、音声出力状態とするかを切り換えるための切換スイッチ１５Ａとを含んで構成されている。通話用マイク１４Ａは切換スイッチ１５Ａを介して接続コネクター１１に接続されるとともに、切換スイッチ１５Ａを介して調整手段１２の出力側に接続されるようになっている。
【００４７】
なお、切換スイッチ１５Ａは、通常時は調整手段１２の出力側に接続されて、通話用マイク１４Ａから調整室２側からの音声が出力されるようになっており、音声を入力する際に切換スイッチ１５Ａを接続コネクター１１側に切り換える構造となっている。
【００４８】
次に実施の形態（２）に係るスタジオ通話システムの通話時の動作について説明する。まず、演奏室１にいる人が調整室２にいる人に対して通話を行う場合について説明する。演奏モニター装置１０Ａに設けられた切換スイッチ１５Ａが操作され、通話用マイク１４Ａが音声入力状態に切り換えられた後、音声が入力されると、通話用マイク１４Ａを通じて入力された音声信号が、接続コネクター１１に接続されたマルチケーブル３０を介して信号分配装置２０に伝送される。
【００４９】
信号分配装置２０では、演奏モニター装置１０Ａから伝送されてきた音声信号が、音声信号ライン５６を介して調整室通話ユニット５０へ送出される。調整室通話ユニット５０では、信号分配装置２０から伝送されてきた音声信号がスピーカ５５から音声として出力される。
【００５０】
次にスピーカ５５からの音声の出力を受けて調整室２にいる人が演奏室１にいる人に対して通話を行う場合について説明する。調整室通話ユニット５０に設けられた切換スイッチ５２がＯＮされて、通話用マイク５１から音声が入力されると、通話用マイク５１を通じて入力された音声信号は、音声信号ライン５６を介して信号分配装置２０へ伝送され、信号分配装置２０で分配されて、マルチケーブル３０を介して各演奏モニター装置１０Ａへ出力される。演奏モニター装置１０Ａでは、切換スイッチ１５Ａが調整手段１２の出力側に接続されているので、伝送されてきた音声信号が通話用マイク１４Ａから音声として出力される。
【００５１】
上記実施の形態（２）に係るスタジオ通話システムによれば、演奏モニター装置１０Ａの切換スイッチ１５Ａが、音声入力状態と、音声出力状態とを切り換えるものであるので、通話用マイク１４Ａから音声を入力するだけでなく、音声を出力させることもできる。したがって、通話用マイク１４Ａに、マイクロホンとしての機能と、スピーカとしての機能とを兼用させることができ、従来、出力端子１３に接続されたヘッドホン３１から出力させていた通話音声を、通話用マイク１４Ａから出力させることができ、ヘッドホン３１を使用しなくても、スタジオ内で通話を行うことが可能となる。
【００５２】
なお、上記実施の形態（２）では、演奏モニター装置１０Ａの通話用マイク１４Ａから音声を入出力させる場合について説明したが、別の実施の形態では、調整室通話ユニット５０の通話用マイク５１とスピーカ５５とを１つにして共用させる構成としてもよい。
【産業上の利用可能性】
【００５３】
本発明に係る演奏モニタ−装置、調整室通話ユニット、信号分配装置、及びスタジオ通話システムは、音楽スタジオでの会話を行うために利用され、音楽スタジオ等における器材のセッティングを効率化させるとともに、ミキサーの入力チャンネルを無駄なく活用させることが可能となる。
【図面の簡単な説明】
【００５４】
【図１】本発明の実施の形態（１）に係るスタジオ通話システムの要部を概略的に示したブロック図である。
【図２】実施の形態（２）に係るスタジオ通話システムの要部を概略的に示したブロック図である。
【図３】従来のスタジオ通話システムの要部を概略的に示したブロック図である。
【符号の説明】
【００５５】
１０、１０Ａ  演奏モニター装置
１１  接続コネクター
１２  調整手段
１３  出力端子
１４、１４Ａ  通話用マイク
１５、１５Ａ  切換スイッチ
２０  信号分配装置
５０  調整室通話ユニット
【図１】
2005094112.tif 000003
【図２】
2005094112.tif 000004
【図３】
2005094112.tif 000005